(57)【要約】      （修正有）【課題】排他制御によって処理が遅延することを抑制する管理装置、管理方法及び管理プログラムを提供する。【解決手段】負荷管理部１０４は、排他制御の対象である第１の処理の実行履歴に基づき、直後の所定時間における第１の処理の負荷の状態を判定する判定部と、判定部による判定の結果に基づき、排他制御の対象であり且つ第１の処理より優先度が低い処理である第２の処理の実行間隔を設定する設定部とを有する。【選択図】図２
2017151634.tif 000002
【特許請求の範囲】
【請求項１】
排他制御の対象である第１の処理の実行履歴に基づき、直後の所定時間における前記第１の処理の負荷の状態を判定する判定部と、
前記判定部による判定の結果に基づき、前記排他制御の対象であり且つ前記第１の処理より優先度が低い処理である第２の処理の実行間隔を設定する設定部と、
を有する管理装置。
【請求項２】
前記判定部は、
別の日の前記直後の所定時間についての実行履歴に基づき、前記直後の所定時間における前記第１の処理の負荷の状態を判定する、
請求項１記載の管理装置。
【請求項３】
前記判定部は、
同じ日の直前の所定時間についての実行履歴と、別の日の前記直後の所定時間についての実行履歴とに基づき、前記直後の所定時間における前記第１の処理の負荷の状態を判定する、
請求項１記載の管理装置。
【請求項４】
前記第１の処理はデータの出力処理であり、
前記判定部は、
前記出力処理の実行履歴と、前記出力処理に対応し且つ前記出力処理より前に実行される入力処理の実行履歴とに基づき、前記直後の所定時間における前記出力処理の負荷の状態を判定する、
請求項１記載の管理装置。
【請求項５】
前記判定部は、
前記入力処理の実行履歴に基づき、前記入力処理が直前の所定時間及び現時点において実行されているか判定し、
前記入力処理が前記直前の所定時間及び前記現時点において実行されていると判定された場合、前記直前の所定時間についての前記出力処理の実行履歴と、前記現時点についての前記出力処理の実行履歴とに基づき、前記直後の所定時間における前記出力処理の負荷の状態を判定する、
請求項４記載の管理装置。
【請求項６】
前記設定部は、
前記第２の処理の実行間隔が処理時点における間隔より長い第２の間隔に設定した後、所定時間経過しても前記第１の処理が実行されていない場合、前記第２の処理の実行間隔を前記処理時点における間隔に戻す、
請求項１記載の管理装置。
【請求項７】
前記設定部は、
前記第１の処理が高負荷であるほど前記第２の処理の実行間隔を長くするように、前記第２の処理の実行間隔を設定する、
請求項１記載の管理装置。
【請求項８】
前記出力処理及び前記入力処理の実行履歴を生成する生成部
をさらに有し、
前記生成部は、
前記出力処理の実行時間が所定時間より長い場合に前記出力処理の実行履歴を生成し、前記入力処理の実行が開始した後に当該入力処理に対応する出力処理が実行された場合に、当該入力処理の実行履歴を生成する、
請求項４記載の管理装置。
【請求項９】
プロセッサが、
排他制御の対象である第１の処理の実行履歴に基づき、直後の所定時間における前記第１の処理の負荷の状態を判定し、
前記判定部による判定の結果に基づき、前記排他制御の対象であり且つ前記第１の処理より優先度が低い処理である第２の処理の実行間隔を設定する、
処理を実行する管理方法。
【請求項１０】
プロセッサに、
排他制御の対象である第１の処理の実行履歴に基づき、直後の所定時間における前記第１の処理の負荷の状態を判定し、
前記判定部による判定の結果に基づき、前記排他制御の対象であり且つ前記第１の処理より優先度が低い処理である第２の処理の実行間隔を設定する、
処理を実行させる管理プログラム。
【発明の詳細な説明】
【技術分野】
【０００１】
本発明は、排他制御の技術に関する。
【背景技術】
【０００２】
排他制御とは、複数のプロセスが同じ資源を同時に利用することがないように、或るプロセスが資源を利用している間、別のプロセスが資源を利用することを制限又は禁止する技術である。従って、資源を利用中のプロセスの処理が完了するまでの間、別のプロセスは資源を利用することができないので処理を開始することができない。それに伴い、別のプロセスの処理が終了するタイミングが遅くなる。
【０００３】
プロセスが実行する処理の内容によっては、このような遅延が好ましくない又は許容されない場合が有る。例えば図１に示すような排他制御を考える。図１において、横軸は時間を表し、矩形は処理の実行中であることを表す。ここでは、表示画面に画面のデータを表示する処理（以下、表示処理と呼ぶ）と、表示処理とは別の処理とが排他制御されるものとする。図１の例では、時刻ｔ0において別の処理が開始する。時刻ｔ1においては表示処理の開始が試みられるが、別の処理が実行中であるため表示処理は開始されない。そして、時刻ｔ2において別の処理が終了するため、時刻ｔ2において表示処理が開始する。従って、時刻ｔ1から時刻ｔ2までの間、表示処理のプロセスは待たされるので、ユーザが表示画面を参照して操作を行うような場合には、応答速度の揺らぎによりユーザビリティが低下することになる。
【０００４】
また、排他制御の対象となる複数の処理の中には、優先的に実行すべき処理と優先的に実行しなくてもよい処理とが存在することがある。このような場合に、優先的に実行しなくてもよい処理によって資源が占有されていることが原因となり、優先的に実行すべき処理の開始が遅くなることは好ましくない。
【０００５】
従来技術に関する文献では、排他制御が原因で発生する処理遅延に対処することには着目されていない。
【先行技術文献】
【特許文献】
【０００６】
【特許文献１】特開平６−１２２７６号公報
【特許文献２】特開平２−１０８１３４号公報
【発明の概要】
【発明が解決しようとする課題】
【０００７】
本発明の目的は、１つの側面では、排他制御によって処理が遅延することを抑制するための技術を提供することである。
【課題を解決するための手段】
【０００８】
本発明に係る管理装置は、排他制御の対象である第１の処理の実行履歴に基づき、直後の所定時間における第１の処理の負荷の状態を判定する判定部と、判定部による判定の結果に基づき、排他制御の対象であり且つ第１の処理より優先度が低い処理である第２の処理の実行間隔を設定する設定部とを有する。
【発明の効果】
【０００９】
１つの側面では、排他制御によって処理が遅延することを抑制できるようになる。
【図面の簡単な説明】
【００１０】
【図１】図１は、排他制御の一例を示す図である。
【図２】図２は、情報処理装置の構成図である。
【図３】図３は、管理装置のハードウエア構成図である。
【図４】図４は、負荷管理部の機能ブロック図である。
【図５】図５は、排他制御の一例を示す図である。
【図６】図６は、出力履歴および入力履歴を生成する処理の処理フローを示す図である。
【図７】図７は、出力履歴および入力履歴を生成する処理の処理フローを示す図である。
【図８】図８は、第１の入力履歴生成処理の処理フローを示す図である。
【図９】図９は、出力履歴格納部に格納されるデータの一例を示す図である。
【図１０】図１０は、第１の出力履歴生成処理の処理フローを示す図である。
【図１１】図１１は、出力履歴の一例を示す図である。
【図１２】図１２は、出力履歴の一例を示す図である。
【図１３】図１３は、出力履歴の一例を示す図である。
【図１４】図１４は、出力履歴の一例を示す図である。
【図１５】図１５は、第２の出力履歴生成処理の処理フローを示す図である。
【図１６】図１６は、第２の入力履歴生成処理の処理フローを示す図である。
【図１７】図１７は、入力履歴格納部に格納されるデータの一例を示す図である。
【図１８】図１８は、入力履歴の生成について説明するための図である。
【図１９】図１９は、出力履歴の生成について説明するための図である。
【図２０】図２０は、パトロールの実行についての処理フローを示す図である。
【図２１】図２１は、間隔設定処理の処理フローを示す図である。
【図２２】図２２は、第１判定処理の処理フローを示す図である。
【図２３】図２３は、現時点と所定時間との関係について説明するための図である。
【図２４】図２４は、第１の判定表の一例を示す図である。
【図２５】図２５は、第２の判定表の一例を示す図である。
【図２６】図２６は、第１の制御処理について説明するための図である。
【図２７】図２７は、第２判定処理の処理フローを示す図である。
【図２８】図２８は、第３判定処理の処理フローを示す図である。
【図２９】図２９は、第３判定処理について説明するための図である。
【図３０】図３０は、パトロール負荷の設定の具体的な例を示す図である。
【図３１】図３１は、パトロール負荷の設定の具体的な例を示す図である。
【図３２】図３２は、パトロール負荷の設定の具体的な例を示す図である。
【図３３】図３３は、パトロール負荷の設定の具体的な例を示す図である。
【図３４】図３４は、パトロール負荷の設定の具体的な例を示す図である。
【図３５】図３５は、パトロール負荷の設定の具体的な例を示す図である。
【図３６】図３６は、第１乃至第３判定処理において使用されるデータを示す図である。
【図３７】図３７は、パトロール負荷の設定について説明するための図である。
【発明を実施するための形態】
【００１１】
図２に、本実施の形態における情報処理装置１の構成図を示す。情報処理装置１は、サービスを提供する本体装置１１と、本体装置１１を管理する管理装置１０とを有する。情報処理装置１は、ユーザによって操作され且つ表示装置を有するコンソール３に接続される。
【００１２】
本体装置１１は、ＣＰＵ（Central Processing Unit）１１１と、例えばＲＡＭ（Random Access Memory）であるメモリ１１２と、インタフェース部１１３と、振分部１１４とを有する。
【００１３】
ＣＰＵ１１１は、サービスを提供するためのＯＳ（Operating System）のプログラムをメモリ１１２にロードして実行する。インタフェース部１１３は、ＣＰＵ１１１が実行するＯＳと管理装置１０におけるコンソール制御部１０１との間でデータを中継する処理を実行する。振分部１１４は、管理装置１０からのアクセスをＣＰＵ１１１、メモリ１１２及びインタフェース部１１３に振り分ける。
【００１４】
管理装置１０は、コンソール制御部１０１と、監視部１０２と、アクセス制御部１０３と、負荷管理部１０４とを有する。
【００１５】
コンソール制御部１０１は、コンソール３からデータの入力を受け付け、入力を受け付けたデータをインタフェース部１１３に送る。また、コンソール制御部１０１は、インタフェース部１１３から受け取ったデータ（本実施の形態においては、コンソール３の表示画面に表示されるデータ）をコンソール３に送る。監視部１０２は、本体装置１１におけるＣＰＵ１１１、メモリ１１２及びインタフェース部１１３を診断する処理（以下、パトロールと呼ぶ）を、負荷管理部１０４により設定された実行間隔で（すなわち、定期的に）実行する。アクセス制御部１０３は、コンソール制御部１０１から本体装置１１へのアクセス及び監視部１０２から本体装置１１へのアクセスを制御する。具体的には、コンソール制御部１０１から本体装置１１へのアクセスが発生している場合、監視部１０２から本体装置１１へのアクセスを禁止し、監視部１０２から本体装置１１へのアクセスが発生している場合、コンソール制御部１０１から本体装置１１へのアクセスを禁止する。負荷管理部１０４は、コンソール制御部１０１からインタフェース部１１３にデータを送る処理（以下、入力と呼ぶ）の実行履歴及びインタフェース部１１３からコンソール制御部１０１にデータを送る処理（以下、出力と呼ぶ）の実行履歴に基づき、出力の負荷の状態を予測し、予測の結果に基づき監視部１０２が実行するパトロールの実行間隔を設定する。
【００１６】
なお、本体装置１１のＯＳは、コンソール制御部１０１から受け取ったデータに基づき処理を実行し、処理結果をコンソール制御部１０１に出力するため、入力と出力とは対応しており、出力の前には対応する入力が行われるものとする。
【００１７】
本実施の形態においては、出力の優先度がパトロールの優先度より高く、出力がパトロールに優先して実行されるべきであるとする。
【００１８】
図３に、管理装置１０のハードウエア構成図を示す。管理装置１０は、ＣＰＵ１００１と、ＲＡＭ１００２と、ＲＯＭ（Read Only Memory）１００３とを有する。ＣＰＵ１００１と、ＲＡＭ１００２と、ＲＯＭ１００３とは、バス１００４によって接続される。本実施の形態の処理を実行するためのプログラム１００３１は、ＲＯＭ１００３に格納されており、ＣＰＵ１００１がＲＯＭ１００３から読み出したプログラム１００３１をＲＡＭ１００２にロードして実行することによって、コンソール制御部１０１、監視部１０２、アクセス制御部１０３及び負荷管理部１０４が実現される。
【００１９】
図４に、負荷管理部１０４の機能ブロック図を示す。負荷管理部１０４は、履歴生成部１０４１と、判定部１０４２と、設定部１０４３と、出力履歴格納部１０４５と、入力履歴格納部１０４６と、判定表格納部１０４７とを有する。判定部１０４２は、第１判定部１０４２１と、第２判定部１０４２２と、第３判定部１０４２３とを有する。履歴生成部１０４１は、出力の実行履歴である出力履歴及び入力の実行履歴である入力履歴を生成し、出力履歴を出力履歴格納部１０４５に格納し、入力履歴を入力履歴格納部１０４６に格納する。判定部１０４２は、出力履歴格納部１０４５に格納されている出力履歴、入力履歴格納部１０４６に格納されている入力履歴及び判定表格納部１０４７に格納されているデータに基づき、直後の時間帯における出力の負荷の状態を予測する処理を実行する。設定部１０４３は、判定部１０４２による予測の結果に基づき、監視部１０２によるパトロールの実行間隔を設定する処理を実行する。出力履歴格納部１０４５及び入力履歴格納部１０４６は、例えばＲＡＭ１００２に設けられる。
【００２０】
本実施の形態の排他制御を実行しない場合には、例えば図５に示すような排他制御が実現される。図５においては、パトロールの発生と、理想的な出力の発生と、現実の出力の発生とが示されている。図５において、横軸は時間を表し、矩形はパトロール又は出力の実行を表す。
【００２１】
図５においては、パトロールが定期的に実行されており、出力はパトロールの実行間隔よりも狭い実行間隔で実行されている。パトロールが実行されている間は本体装置１１のハードウエアが占有されるため、パトロールの終了時点にならなければ出力は再開されず、現実の出力は理想的な出力と比較すると終了時点が遅い。上で述べたように、本実施の形態においては出力の優先度がパトロールの優先度よりも高いため、このような状態が発生することは好ましくない。
【００２２】
そこで以下では、出力の遅延を抑制する方法について説明する。
【００２３】
［出力履歴及び入力履歴の生成］
まず、図６乃至図１９を用いて、出力履歴及び入力履歴の生成について説明する。
【００２４】
履歴生成部１０４１は、コンソール３からの割り込みが発生したか判定する（図６：ステップＳ１）。コンソール３からの割り込みが発生した場合（ステップＳ１：Ｙｅｓルート）、入力が発生したので、処理は端子Ａを介して図７のステップＳ２５に移行する。
【００２５】
図７の説明に移行し、履歴生成部１０４１は、第１の入力履歴生成処理を実行する（図７：ステップＳ２５）。第１の入力履歴生成処理については、図８を用いて説明する。
【００２６】
まず、履歴生成部１０４１は、現在時刻を特定する（図８：ステップＳ４１）。そして、履歴生成部１０４１は、ステップＳ４１において特定した現在時刻を、入力の発生時刻としてＲＡＭ１００２におけるワーク領域に格納する（ステップＳ４３）。そして呼び出し元の処理に戻る。
【００２７】
図７の説明に戻り、履歴生成部１０４１は、コンソール３から入力データ（例えば入力文字列）をコンソール制御部１０１を介して取得する（ステップＳ２７）。そして、履歴生成部１０４１は、第１の出力履歴生成処理を実行する（ステップＳ２９）。第１の出力履歴生成処理については、図９乃至図１４を用いて説明する。
【００２８】
まず、図９に、出力履歴格納部１０４５に格納されるデータの一例を示す。図９の例では、エントリを識別するための番号と、ステータスを示す情報と、そのステータスの開始時刻と、出力の回数とが格納される。最も右の列は、参考までに示した単位時間当たりの出力回数であり、実際には出力履歴格納部１０４５に格納されない。「ＢＵＳＹ」は出力を実行している状態が所定時間（例えば６０秒）以上継続していることを示す。「ＦＲＥＥ」は出力を実行していない状態が所定時間（例えば６０秒）以上継続していることを示す。
【００２９】
そして、履歴生成部１０４１は、出力履歴格納部１０４５における直前の「ＦＲＥＥ」の開始時刻から所定時間が経過したか判定する（図１０：ステップＳ５１）。直前の「ＦＲＥＥ」の開始時刻から所定時間が経過していないと判定された場合（ステップＳ５１：Ｎｏルート）、履歴生成部１０４１は、直前の「ＦＲＥＥ」のエントリを削除する（ステップＳ５９）。例えば図１１（ａ）に示すようなデータが出力履歴格納部１０４５に格納されている場合、ステップＳ５９の処理によって２番目のエントリが削除される（図１１（ｂ））。取り消し線は削除を表す。
【００３０】
一方、直前の「ＦＲＥＥ」の開始時刻から所定時間が経過したと判定された場合（ステップＳ５１：Ｙｅｓルート）、履歴生成部１０４１は、直前の「ＦＲＥＥ」の前の「ＢＵＳＹ」の開始時刻から経過した時間が、所定時間以上であるか判定する（ステップＳ５３）。直前の「ＦＲＥＥ」の前の「ＢＵＳＹ」の開始時刻から経過した時間が、所定時間以上である場合（ステップＳ５３：Ｙｅｓルート）、ステップＳ５７の処理に移行する。一方、直前の「ＦＲＥＥ」の前の「ＢＵＳＹ」の開始時刻から経過した時間が、所定時間以上ではない場合（ステップＳ５３：Ｎｏルート）、履歴生成部１０４１は、直前の「ＢＵＳＹ」のエントリを削除する（ステップＳ５５）。例えば図１１（ａ）に示すようなデータが出力履歴格納部１０４５に格納されている場合、ステップＳ５５の処理によって１番目のエントリが削除される（図１１（ｃ））。
【００３１】
履歴生成部１０４１は、出力履歴格納部１０４５に「ＢＵＳＹ」のエントリを１つ新規に生成する（ステップＳ５７）。そしてステップＳ６１の処理に移行する。例えば図１１（ｃ）に示すようなデータが出力履歴格納部１０４５に格納されている場合、ステップＳ５７の処理によって図１２（ａ）に示すようなデータが格納される。また、例えば図１１（ａ）に示すようなデータが出力履歴格納部１０４５に格納されている場合、ステップＳ５７の処理によって図１２（ｂ）に示すようなデータが格納される。
【００３２】
履歴生成部１０４１は、直前の「ＢＵＳＹ」の開始時刻から経過した時間が、所定時間以上であるか判定する（ステップＳ６１）。直前の「ＢＵＳＹ」の開始時刻から経過した時間が、所定時間以上ではない場合（ステップＳ６１：Ｎｏルート）、ステップＳ６５の処理に移行する。
【００３３】
一方、直前の「ＢＵＳＹ」の開始時刻から経過した時間が、所定時間以上である場合（ステップＳ６１：Ｙｅｓルート）、履歴生成部１０４１は、出力履歴格納部１０４５に「ＢＵＳＹ」のエントリを１つ新規に生成する（ステップＳ６３）。例えば図１１（ｂ）に示すようなデータが出力履歴格納部１０４５に格納されている場合、ステップＳ６３の処理によって図１２（ｃ）に示すようなデータが格納される。
【００３４】
履歴生成部１０４１は、直前の「ＢＵＳＹ」のエントリに含まれる出力回数を１インクリメントする（ステップＳ６５）。そして呼び出し元の処理に戻る。例えば図１１（ｂ）に示すようなデータが出力履歴格納部１０４５に格納されている場合、ステップＳ６５の処理によって図１３（ａ）に示すようなデータが格納される。また、例えば図１２（ｃ）に示すようなデータが出力履歴格納部１０４５に格納されている場合、ステップＳ６５の処理によって図１３（ｂ）に示すようなデータが格納される。また、例えば図１２（ａ）に示すようなデータが出力履歴格納部１０４５に格納されている場合、ステップＳ６５の処理によって図１３（ｃ）に示すようなデータが格納される。また、例えば図１２（ｂ）に示すようなデータが出力履歴格納部１０４５に格納されている場合、ステップＳ６５の処理によって図１４（ａ）に示すようなデータが格納される。
【００３５】
図７の説明に戻り、履歴生成部１０４１は、本体装置１１に対するアクセスをロックし（ステップＳ３１）、監視部１０２が本体装置１１にアクセスできないようにする。
【００３６】
履歴生成部１０４１は、ステップＳ２７において取得した入力データを本体装置１１におけるインタフェース部１１３に渡す（ステップＳ３３）。処理は端子Ｂを介して図６のステップＳ９に移行する。
【００３７】
図６の説明に戻り、コンソール３からの割り込みが発生していない場合（ステップＳ１：Ｎｏルート）、履歴生成部１０４１は、インタフェース部１１３からの割り込みが発生したか判定する（ステップＳ３）。インタフェース部１１３からの割り込みが発生していない場合（ステップＳ３：Ｎｏルート）、ステップＳ１の処理に戻る。
【００３８】
一方、インタフェース部１１３からの割り込みが発生した場合（ステップＳ３：Ｙｅｓルート）、履歴生成部１０４１は、第１の出力履歴生成処理を実行する（ステップＳ５）。第１の出力履歴生成処理については、上で説明したとおりであるので、ここでは説明を省略する。
【００３９】
第１の出力履歴生成処理の実行後、履歴生成部１０４１は、本体装置１１に対するアクセスをロックし（ステップＳ７）、監視部１０２が本体装置１１にアクセスできないようにする。
【００４０】
履歴生成部１０４１は、インタフェース部１１３から受け取った出力データから、リクエスト要因を示す情報を取得する（ステップＳ９）。リクエスト要因を示す情報は、出力が完了したか判定するために使用される。
【００４１】
履歴生成部１０４１は、リクエスト要因を示す情報が、出力が完了したことを表しているか判定する（ステップＳ１１）。リクエスト要因を示す情報が、出力が完了したことを表していない場合（ステップＳ１１：Ｎｏルート）、履歴生成部１０４１は、インタフェース部１１３から受け取った出力データをコンソール制御部１０１に出力する。これに応じ、コンソール制御部１０１は、リクエストの種類に応じた処理を実行する（ステップＳ１３）。また、コンソール制御部１０１は、リクエストの種類に応じた処理が完了したことを示す情報をインタフェース部１１３に通知する（ステップＳ１５）。そしてステップＳ９の処理に戻る。
【００４２】
一方、リクエスト要因を示す情報が、出力が完了したことを表している場合（ステップＳ１１：Ｙｅｓルート）、履歴生成部１０４１は、本体装置１１に対するアクセスのロックを解除する（ステップＳ１７）。
【００４３】
そして、履歴生成部１０４１は、第２の出力履歴生成処理を実行する（ステップＳ１９）。第２の出力履歴生成処理については、図１５を用いて説明する。
【００４４】
履歴生成部１０４１は、現在時刻を特定する（図１５：ステップＳ７１）。そして、履歴生成部１０４１は、ステップＳ７１において特定した現在時刻を含む「ＦＲＥＥ」のエントリを、出力履歴格納部１０４５に格納する（ステップＳ７３）。そして呼び出し元の処理に戻る。例えば図１４（ｂ）に示すようなデータが出力履歴格納部１０４５に格納されている場合、ステップＳ７３の処理によって、図１４（ｃ）に示すようなデータが格納される。
【００４５】
図６の説明に戻り、履歴生成部１０４１は、第２の入力履歴生成処理を実行する（ステップＳ２１）。第２の入力履歴生成処理については、図１６及び図１７を用いて説明する。
【００４６】
まず、履歴生成部１０４１は、ステップＳ４３においてＲＡＭ１００２のワーク領域に格納された発生時刻を読み出す（図１６：ステップＳ８１）。
【００４７】
履歴生成部１０４１は、直前の所定時間（例えば６０秒）についての出力履歴を出力履歴格納部１０４５から読み出す（ステップＳ８３）。直前の所定時間とは、図２３（ａ）に示すように、所定時間前から現時点までの時間帯のことである。
【００４８】
履歴生成部１０４１は、入力の発生後（すなわち、ステップＳ８１において読み出された発生時刻よりも後）に出力が所定時間（例えば６０秒）以上継続しているか判定する（ステップＳ８５）。入力の発生後に出力が所定時間以上継続していない場合（ステップＳ８５：Ｎｏルート）、呼び出し元の処理に戻る。入力の発生後に出力が所定時間以上継続している場合（ステップＳ８５：Ｙｅｓルート）、履歴生成部１０４１は、ステップＳ８１において読み出した発生時刻を入力履歴格納部１０４６に書き込む（ステップＳ８７）。そして呼び出し元の処理に戻る。図１７に、入力履歴格納部１０４６に格納されるデータの一例を示す。図１７の例では、エントリの番号と、入力の開始時刻（発生時刻）とが格納される。
【００４９】
図６の説明に戻り、履歴生成部１０４１は、コンソール３に出力データを渡す。これに応じ、コンソール３は出力データを表示装置に表示する（ステップＳ２３）。そしてステップＳ１の処理に戻る。
【００５０】
以上のような処理によって、入力履歴及び出力履歴が生成される。
【００５１】
図１８を用いて、入力履歴の生成について説明する。図１８において、横軸は時間を表し、矢印は入力の発生を表し、実線の矩形は出力の発生を表し、破線の矩形は出力が発生していないことを表す。入力履歴は、入力を検出した後所定時間以上出力が継続した場合に生成される。従って、図１８の例では、時刻ｔ1において発生した入力については入力履歴が生成されるが、時刻ｔ2において発生した入力については入力履歴が生成されない。これは、例えばユーザがジョブ名の入力をミスしたり、空のエンターキーを連打したような場合には、出力に関係しない入力が発生するためである。従って、入力の発生から所定時間以上出力が継続した場合に限定することで、出力に関係しない入力を排除できるようになる。
【００５２】
図１９を用いて、出力履歴の生成について説明する。図１９において、横軸は時間を表し、矩形は出力の発生を表す。図９の出力履歴格納部１０４５は、図１９の出力態様に対応しており、図１９の各時点の番号は図９の出力履歴格納部１０４５のエントリの番号に相当する。図１９に示すように、０２：１０：３０から０２：１２：３０までの間、および、０５：００：００から０５：０１：３０までの間には、出力が発生していない時間帯が存在する。しかし、それらの時間帯が所定時間より短いため、出力履歴格納部１０４５には「ＦＲＥＥ」のエントリが生成されていない。一方、０２：１２：３０から開始する、出力が発生していない時間帯は、その時間帯が所定時間より長いため、出力履歴格納部１０４５に「ＦＲＥＥ」のエントリが生成される。また、出力１９０１は継続時間が所定時間より短いため、出力履歴格納部１０４５に「ＢＵＳＹ」のエントリが生成されていない。また、「ＢＵＳＹ」のエントリは所定時間が経過する毎に生成される。
【００５３】
［パトロール実行間隔の設定及びパトロールの実行］
次に、図２０乃至図３７を用いて、パトロールの実行間隔の設定及びパトロールの実行について説明する。
【００５４】
まず、判定部１０４２は、間隔設定処理を実行する（図２０：ステップＳ９１）。間隔設定処理については、図２１乃至図２９を用いて説明する。
【００５５】
判定部１０４２は、判定部１０４２は、直前の所定時間（例えば６０秒）において出力が発生したか判定する（図２１：ステップＳ１１１）。直前の所定時間において出力が発生した場合（ステップＳ１１１：Ｙｅｓルート）、判定部１０４２における第１判定部１０４２１は、第１判定処理を実行する（ステップＳ１１３）。第１判定処理については、図２２乃至図２６を用いて説明する。
【００５６】
第１判定部１０４２１は、直前の所定時間について、出力履歴格納部１０４５から出力履歴を読み出し、読み出した出力履歴から第１の平均出力回数を算出する（図２２：ステップＳ１３１）。平均出力回数は、例えば１秒あたりの出力回数である。
【００５７】
第１判定部１０４２１は、直後の所定時間（例えば６０秒）について、出力履歴格納部１０４５から出力履歴を読み出し、読み出した出力履歴から第２の平均出力回数を算出する（ステップＳ１３３）。直後の所定時間とは、図２３（ｃ）に示すように、現時点から所定時間後までの時間帯である。従って、ステップＳ１３３においては、別の日における現時刻から所定時間後までの時間帯について出力履歴が読み出される。
【００５８】
ここで、別の日としては、例えば曜日が同じである日など、同じ特徴を有する日が採用される。また、対象の日が平日である場合に、別の日として平日を採用するといったことも可能である。
【００５９】
第１判定部１０４２１は、重み付けした第１の平均出力回数と重み付けした第２の平均出力回数とのうち大きい方を特定する（ステップＳ１３５）。ここでは、直前の所定時間において出力処理が発生したか否かをより重視するため、第１の平均出力回数の重みは１であり、第２の平均出力回数の重みは０．５である。
【００６０】
第１判定部１０４２１は、特定した平均出力回数が第１の所定回数（例えば５（回／秒））であるか判定する（ステップＳ１３７）。平均出力回数が第１の所定回数以上である場合（ステップＳ１３７：Ｙｅｓルート）、図２４に示す第１の判定表によって、直後の所定時間における出力負荷の状態が「大」であると予測される。従って、第１判定部１０４２１は、図２５に示す第２の判定表に従って、パトロール負荷を「小」に設定する（ステップＳ１３９）。そして呼び出し元の処理に戻る。なお、第１の判定表および第２の判定表は判定表格納部１０４７に格納されている。
【００６１】
平均出力回数が第１の所定回数以上ではない場合（ステップＳ１３７：Ｎｏルート）、第１判定部１０４２１は、平均出力回数が第２の所定回数（例えば３（回／秒））以上であるか判定する（ステップＳ１４１）。平均出力回数が第２の所定回数以上である場合（ステップＳ１４１：Ｙｅｓルート）、第１の判定表によって、直後の所定時間における出力負荷の状態が「中」であると予測される。従って、第１判定部１０４２１は、第２の判定表に従って、パトロール負荷を「中」に設定する（ステップＳ１４３）。そして呼び出し元の処理に戻る。
【００６２】
平均出力回数が第２の所定回数以上ではない場合（ステップＳ１４１：Ｎｏルート）、第１判定部１０４２１は、平均出力回数が第３の所定回数（例えば１（回／秒））以上であるか判定する（ステップＳ１４５）。平均出力回数が第３の所定回数以上である場合（ステップＳ１４５：Ｙｅｓルート）、第１の判定表によって、直後の所定時間における出力負荷の状態が「小」であると予測される。従って、第１判定部１０４２１は、第２の判定表に従って、パトロール負荷を「大」に設定する（ステップＳ１４７）。そして呼び出し元の処理に戻る。
【００６３】
平均出力回数が第３の所定回数以上ではない場合（ステップＳ１４５：Ｎｏルート）、第１の判定表によって、直後の所定時間における出力負荷の状態が「無」であると予測される。従って、第１判定部１０４２１は、第２の判定表に従って、パトロール負荷を「最大」に設定する（ステップＳ１４９）。そして呼び出し元の処理に戻る。
【００６４】
従って、第１判定処理によって、図２６に示すようにパトロール負荷が設定される。図２６においては、出力負荷と、パトロール負荷と、パトロールの実行との関係が示されており、横軸は時間を表す。図２６に示すように、出力負荷が高い（すなわち、単位時間当たりの出力回数が多い）ほどパトロール負荷が低く設定され、パトロール負荷が低いときはパトロールの実行間隔が長い。また、出力負荷が低い（すなわち、単位時間当たりの出力回数が少ない）ほどパトロール負荷が高く設定され、パトロール負荷が高いときはパトロールの実行間隔が短い。
【００６５】
図２１の説明に戻り、判定部１０４２における第２判定部１０４２２は、第２判定処理を実行する（ステップＳ１１５）。第２判定処理については、図２７を用いて説明する。
【００６６】
第２判定部１０４２２は、直後の所定時間（例えば６０秒）について、出力履歴格納部１０４５から出力履歴を読み出す（図２７：ステップＳ１５１）。ステップＳ１３３と同様、ステップＳ１５１においては、別の日における現時刻から所定時間後までの時間帯について出力履歴が読み出される。
【００６７】
第２判定部１０４２２は、別の日における直後の所定時間において出力が発生したか判定する（ステップＳ１５３）。ここでは、平均出力回数が第３の所定回数以上であるか否かが判定される。出力が別の日における直後の所定時間において出力が発生していない場合（ステップＳ１５３：Ｎｏルート）、第２判定部１０４２２は、パトロール負荷を、出力負荷が無い場合に対応する負荷（例えば、図２５における「最大」）に設定する（ステップＳ１５５）。そして元の処理に戻る。
【００６８】
一方、別の日における直後の所定時間において出力が発生した場合（ステップＳ１５３：Ｙｅｓルート）、第２判定部１０４２２は、前回パトロール負荷を減らした状態に設定してから所定時間（例えば６０秒）が経過したか判定する（ステップＳ１５７）。前回パトロール負荷を減らした状態に設定してから所定時間が経過したことは、入力履歴があるにもかかわらず入力に対応する出力が発生しなかったことを意味する。従って、前回パトロール負荷を減らした状態に設定してから所定時間が経過した場合（ステップＳ１５７：Ｙｅｓルート）、ステップＳ１５５の処理に移行する。
【００６９】
一方、前回パトロール負荷を減らした状態に設定してから所定時間が経過していない場合（ステップＳ１５７：Ｎｏルート）、第２判定部１０４２２は、第１判定表および第２判定表に基づき、ステップＳ１５１において読み出した出力履歴から算出された平均出力回数に対応する出力負荷に応じて、パトロール負荷を設定する（ステップＳ１５９）。そして呼び出し元の処理に戻る。
【００７０】
図２１の説明に戻り、設定部１０４３は、第１判定処理の結果及び第２判定処理の結果を判定部１０４２から取得し、第１判定処理の結果及び第２判定処理の結果のうち、パトロール負荷がより小さい方を特定する（ステップＳ１１７）。
【００７１】
設定部１０４３は、ステップＳ１１７において特定されたパトロール負荷に対応するパトロール間隔を監視部１０２に設定する（ステップＳ１１９）。そして呼び出し元の処理に戻る。本実施の形態においては、パトロール負荷が小さいほどパトロールの実行間隔は長くなる。
【００７２】
一方、直前の所定時間において出力が発生していない場合（ステップＳ１１１：Ｎｏルート）、第２判定部１０４２２は、第２判定処理を実行する（ステップＳ１２１）。第２判定処理については上で説明したとおりである。
【００７３】
判定部１０４２における第３判定部１０４２３は、第３判定処理を実行する（ステップＳ１２３）。第３判定処理については、図２８及び図２９を用いて説明する。
【００７４】
第３判定部１０４２３は、直前の所定時間（例えば６０秒）について、入力履歴格納部１０４６から入力履歴を読み出す（図２８：ステップＳ１６１）。
【００７５】
第３判定部１０４２３は、ステップＳ１６１において読み出した入力履歴に基づき、直前の所定時間において入力が発生したか判定する（ステップＳ１６３）。直前の所定時間において入力が発生していない場合（ステップＳ１６３：Ｎｏルート）、第３判定部１０４２３は、直前の所定時間について、出力履歴格納部１０４５から出力履歴を読み出し、第１の平均出力回数を算出する（ステップＳ１７１）。
【００７６】
一方、直前の所定時間において入力が発生した場合（ステップＳ１６３：Ｙｅｓルート）、第３判定部１０４２３は、現時点を中心として所定時間（図２３（ｂ）の状態。所定時間は例えば６０秒）について、入力履歴格納部１０４６から入力履歴を読み出す（ステップＳ１６５）。ステップＳ１６５においては、例えば、別の日における現時刻を中心として所定時間についての入力履歴が読み出される。
【００７７】
第３判定部１０４２３は、ステップＳ１６５において読み出した入力履歴に基づき、現時点を中心として所定時間について入力が発生したか判定する（ステップＳ１６７）。現時点を中心として所定時間について入力が発生していない場合（ステップＳ１６７：Ｎｏルート）、ステップＳ１７１の処理に移行する。
【００７８】
一方、現時点を中心として所定時間について入力が発生した場合（ステップＳ１６７：Ｙｅｓルート）、第３判定部１０４２３は、現時点を中心として所定時間について出力履歴格納部１０４５から出力履歴を読み出し、第２の平均出力回数を算出する（ステップＳ１６９）。そしてステップＳ１７１の処理に移行する。
【００７９】
ステップＳ１７１の後、第３判定部１０４２３は、重み付けした第１の平均出力回数と、重み付けした第２の平均出力回数とのうち、より大きい方を特定する（ステップＳ１７３）。但し、ステップＳ１６９を経由していない場合には、第２の平均出力回数は０に設定される。ここでは、両平均出力回数の影響を同等にするため、いずれの重みも１に設定される。
【００８０】
第３判定部１０４２３は、ステップＳ１７３において特定された平均出力回数に対応する出力負荷を第１判定表に基づき特定し、特定した出力負荷に対応するパトロール負荷を第２判定表に基づき特定する（ステップＳ１７５）。そして呼び出し元の処理に戻る。
【００８１】
従って、第３判定処理をまとめると図２９のようになる。まず、直前の出力履歴が利用されるのは現在において入力が発生し且つ直前において入力が発生した場合である。「出力負荷判定」には、直前の出力負荷と現時点の出力負荷とのうち大きい方が設定される。そして、出力負荷が大きいほどパトロール負荷が小さく設定される。
【００８２】
図２１の説明に戻り、設定部１０４３は、第２判定処理の結果及び第３判定処理の結果を判定部１０４２から取得し、第２判定処理の結果及び第３判定処理の結果のうち、パトロール負荷がより小さい方を特定する（ステップＳ１２５）。
【００８３】
設定部１０４３は、ステップＳ１２５において特定されたパトロール負荷に対応するパトロール間隔を監視部１０２に設定する（ステップＳ１２７）。そして呼び出し元の処理に戻る。
【００８４】
図２０の説明に戻り、監視部１０２は、パトロールを実行すべき時刻になったか判定する（ステップＳ９３）。パトロールを実行すべき時刻になっていない場合（ステップＳ９３：Ｎｏルート）、ステップＳ９３の処理に戻る。一方、パトロールを実行すべき時刻になった場合（ステップＳ９３：Ｙｅｓルート）、監視部１０２は、本体装置１１に対するアクセスをロックし（ステップＳ９５）、コンソール制御部１０１が本体装置１１にアクセスできないようにする。
【００８５】
監視部１０２は、パトロールを実行する（ステップＳ９７）。例えば、監視部１０２は、構成部品に対応する診断レジスタに対する書き込み及びエラーレジスタの値の読み出し等を実行する。パトロールの具体的な内容は、ハードウエア毎に異なり且つよく知られているので、ここでは詳細な説明を省略する。
【００８６】
監視部１０２は、本体装置１１に対するアクセスのロックを解除する（ステップＳ１０１）。
【００８７】
監視部１０２は、監視対象のハードウエア（本実施の形態においては、ＣＰＵ１１１、メモリ１１２及びインタフェース部１１３）に異常が発生したか判定する（ステップＳ１０３）。異常が発生していない場合（ステップＳ１０３：Ｎｏルート）、ステップＳ９１の処理に戻る。一方、異常が発生した場合（ステップＳ１０３：Ｙｅｓルート）、監視部１０２は、異常が発生したことを示すデータ（例えばメール等）を出力する（ステップＳ１０５）。出力先は、例えばカスタマーエンジニアの端末である。そしてステップＳ９１の処理に戻る。
【００８８】
パトロール負荷の設定方法をまとめると、以下のようになる。
【００８９】
図３０に、出力の予測と実際の出力発生とパトロール負荷との関係を示す。図３０において、横軸は時間を表し、ハッチングされた矩形は予測に基づくパトロール負荷の変更を表し、ハッチングされていない矩形は実測に基づくパトロール負荷の変更を表す。図３０に示すように、出力が発生すると予測された段階でパトロール負荷が低い状態に設定される。そして、実際に出力が発生した場合には、出力の発生が終了するまでパトロール負荷が低い状態が維持される。
【００９０】
一方で、図３１に示すように、出力が発生すると予測された段階でパトロール負荷が低い状態に設定されたとしても、実際に出力が発生することが無い場合には、パトロール負荷が低い状態から高い状態に戻される。これにより、パトロールの実行間隔が長くなることによる弊害（例えば、異常発見のタイミングが遅れるなど）の発生を抑制できるようになる。
【００９１】
出力履歴格納部１０４５に該当する出力履歴が格納されていない場合には、出力の予測に基づいてパトロール負荷を制御することはできない。従って、図３２に示すように、出力が実際に発生した段階でパトロール負荷が低い状態に設定される。
【００９２】
また、本実施の形態においては、入力に基づきパトロール負荷を制御することができるようになっている。図３３に、入力の予測と実際の入力発生と実際の出力発生とパトロール負荷との関係を示す。図３３に示すように、入力が発生すると予測された段階ではパトロール負荷は変更されないが、実際に入力が発生するとパトロール負荷が低い状態に設定される。その後、実際に出力が発生すると、実際の出力に基づきパトロール負荷が低い状態が維持される。
【００９３】
一方で、図３４に示すように、入力が発生すると予測され且つ実際に入力が発生し、パトロール負荷が低い状態に設定されたとしても、実際に出力が発生しなかった場合には、パトロール負荷は低い状態から高い状態に戻される。これにより、パトロールの実行間隔が長くなることによる弊害の発生を抑制できるようになる。
【００９４】
なお、図３５に示すように、たとえ入力が発生したとしても、入力についての履歴が存在しなかった場合には、発生した入力に基づくパトロール負荷の設定は行われない。
【００９５】
図３６に、本実施の形態の第１乃至第３判定処理において使用するデータを示す。第１判定処理においては、直前の所定時間についての出力履歴と、直後の所定時間についての出力履歴とが使用される。但し、直前の所定時間についての出力履歴の重みは１であり、直後の所定時間についての出力履歴の重みは０．５である。
【００９６】
第２判定処理においては、直後の所定時間についての出力履歴のみが使用される。
【００９７】
第３判定処理においては、直前の所定時間についての出力履歴と、現時点の出力履歴と、直前の所定時間についての入力履歴と、現時点の入力履歴とが使用される。各履歴の重みは１である。
【００９８】
図３７を用いて、パトロール負荷の設定についてさらに説明する。
【００９９】
図３７（１）においては、入力が発生すると予測され且つ実際に入力が発生したため、パトロール負荷が低い状態に設定される。図３７（２）においては、出力が実際に発生したため、パトロール負荷が低い状態のまま維持される。図３７（３）においては、出力が停止したため、パトロール負荷が低い状態から高い状態に戻されている。
【０１００】
なお、パトロール負荷のうちハッチングされた部分は、実際の出力の状態とパトロール負荷の状態とのずれを表す。
【０１０１】
図３７（４）においては、入力の発生を検出したが、入力の発生は予測されていなかったため、パトロール負荷は変更されない。図３７（５）においては、出力が発生したが、出力の発生は予測されていなかったため、パトロール負荷の変更が間に合わず、パトロール負荷は高い状態のままである。図３７（６）においては、出力が発生しているため、パトロール負荷が低い状態に設定される。図３７（７）においては、出力が停止したため、パトロール負荷が低い状態から高い状態に戻されている。
【０１０２】
図３７（８）においては、出力が発生すると予測されたため、パトロール負荷が低い状態に設定される。図３７（９）においては、実際には出力が発生しなかったため、パトロール負荷は低い状態から高い状態に戻される。図３７（１０）においては、出力が発生すると予測されたため、パトロール負荷が低い状態に設定される。図３７（１１）においては、実際に出力が発生したため、パトロール負荷が低い状態が維持される。
【０１０３】
以上のような処理を実行することで、コンソール表示の応答速度の揺らぎを防止できるようになる。
【０１０４】
以上本発明の一実施の形態を説明したが、本発明はこれに限定されるものではない。例えば、上で説明した情報処理装置１の機能ブロック構成は実際のプログラムモジュール構成に一致しない場合もある。
【０１０５】
また、上で説明した各テーブルの構成は一例であって、上記のような構成でなければならないわけではない。さらに、処理フローにおいても、処理結果が変わらなければ処理の順番を入れ替えることも可能である。さらに、並列に実行させるようにしても良い。
【０１０６】
平均出力回数の重みは、上で述べたような値以外の値であってもよい。
【０１０７】
複数のステップにおいて「所定時間」が用いられているが、各ステップの「所定時間」が同じ時間でなくてもよい。
【０１０８】
出力負荷及びパトロール負荷の段階数は４でなくてもよい。
【０１０９】
以上述べた本発明の実施の形態をまとめると、以下のようになる。
【０１１０】
本実施の形態の第１の態様に係る管理装置は、（Ａ）排他制御の対象である第１の処理（例えば、実施の形態における出力）の実行履歴に基づき、直後の所定時間における第１の処理の負荷の状態を判定する判定部と、（Ｂ）判定部による判定の結果に基づき、排他制御の対象であり且つ第１の処理より優先度が低い処理である第２の処理（例えば、実施の形態におけるパトロール）の実行間隔を設定する設定部とを有する。
【０１１１】
このようにすれば、第１の処理と第２の処理とが同時実行されることを回避することが可能になるので、第２の処理より優先度が高い第１の処理が排他制御によって遅延することを抑制できるようになる。
【０１１２】
また、判定部は、（ａ１）別の日の直後の所定時間についての実行履歴に基づき、直後の所定時間における第１の処理の負荷の状態を判定してもよい。或る処理が同じ時間帯に実行されるという傾向が存在する。従って、上で述べたようにすれば、同じ日の直後の所定時間における第１の処理の負荷の状態を高精度で予測できるようになる。
【０１１３】
また、判定部は、（ａ２）同じ日の直前の所定時間についての実行履歴と、別の日の直後の所定時間についての実行履歴とに基づき、直後の所定時間における第１の処理の負荷の状態を判定してもよい。直前の所定時間において第１の処理が実行されている場合、その後も第１の処理が実行される可能性がある。従って、上で述べたようにすれば、直後の所定時間における第１の処理の負荷の状態を、より高精度で予測できるようになる。
【０１１４】
また、第１の処理はデータの出力処理であってもよい。そして、判定部は、（ａ３）出力処理の実行履歴と、出力処理に対応し且つ出力処理より前に実行される入力処理の実行履歴とに基づき、直後の所定時間における出力処理の負荷の状態を判定してもよい。入力処理が実行された場合には、対応する出力処理が実行される可能性がある。従って、上で述べたようにすれば、直後の所定時間における出力処理の負荷の状態を、より高精度で行うことができるようになる。
【０１１５】
また、判定部は、（ａ４）入力処理の実行履歴に基づき、入力処理が直前の所定時間及び現時点において実行されているか判定し、入力処理が直前の所定時間及び現時点において実行されている場合、直前の所定時間についての出力処理の実行履歴と、現時点についての出力処理の実行履歴とに基づき、直後の所定時間における出力処理の負荷の状態を判定してもよい。入力処理と出力処理との間には時間差がある場合が有るので、直前の所定時間及び現時点において実行されている入力処理に対応する出力処理が、直後の所定時間に実行される可能性がある。また、直前の所定時間又は現時点において出力処理が実行されている場合、その後も出力処理が実行される可能性がある。従って、上で述べたようにすれば、直後の所定時間における出力処理の負荷の状態を、より高精度で行うことができるようになる。
【０１１６】
また、設定部は、（ｂ１）第２の処理の実行間隔が処理時点における間隔より長い第２の間隔に設定部によって設定された後、所定時間経過しても第１の処理が実行されていない場合、第２の処理の実行間隔を処理時点における間隔に戻してもよい。このようにすれば、予測が外れた場合には第２の処理の実行間隔が元に戻るので、第２の処理が不必要に遅延することを抑制できるようになる。
【０１１７】
また、設定部は、（ｂ２）第１の処理が高負荷であるほど第２の処理の実行間隔を長くするように、第２の処理の実行間隔を設定してもよい。このようにすれば、第１の処理と第２の処理とが同時実行されることを抑制できるようになる。
【０１１８】
また、（Ｃ）出力処理及び入力処理の実行履歴を生成する生成部をさらに有してもよい。そして、生成部は、（ｃ１）出力処理の実行時間が所定時間より長い場合に出力処理の実行履歴を生成し、入力処理の実行が開始した後に当該入力処理に対応する出力処理が実行された場合に、当該入力処理の実行履歴を生成してもよい。このようにすれば、判定に適した実行履歴を生成できるようになる。
【０１１９】
本実施の形態の第２の態様に係る管理方法は、（Ｄ）排他制御の対象である第１の処理の実行履歴に基づき、直後の所定時間における第１の処理の負荷の状態を判定し、（Ｅ）判定部による判定の結果に基づき、排他制御の対象であり且つ第１の処理より優先度が低い処理である第２の処理の実行間隔を設定する処理を含む。
【０１２０】
なお、上記方法による処理をプロセッサに行わせるためのプログラムを作成することができ、当該プログラムは、例えばフレキシブルディスク、ＣＤ−ＲＯＭ、光磁気ディスク、半導体メモリ、ハードディスク等のコンピュータ読み取り可能な記憶媒体又は記憶装置に格納される。尚、中間的な処理結果はメインメモリ等の記憶装置に一時保管される。
【符号の説明】
【０１２１】
１  情報処理装置    １０  管理装置
１１  本体装置    １０１  コンソール制御部
１０２  監視部    １０３  アクセス制御部
１０４  負荷管理部    １１１  ＣＰＵ
１１２  メモリ    １１３  インタフェース部
１１４  振分部    １０４１  履歴生成部
１０４２  判定部    １０４２１  第１判定部
１０４２２  第２判定部    １０４２３  第３判定部
１０４３  設定部    １０４５  出力履歴格納部
１０４６  入力履歴格納部    １０４７  判定表格納部
１００１  ＣＰＵ    １００２  ＲＡＭ
１００３  ＲＯＭ    １００３１  プログラム
１００４  バス    ３  コンソール
【図１】
2017151634.tif 000003
【図２】
2017151634.tif 000004
【図３】
2017151634.tif 000005
【図４】
2017151634.tif 000006
【図５】
2017151634.tif 000007
【図６】
2017151634.tif 000008
【図７】
2017151634.tif 000009
【図８】
2017151634.tif 000010
【図９】
2017151634.tif 000011
【図１０】
2017151634.tif 000012
【図１１】
2017151634.tif 000013
【図１２】
2017151634.tif 000014
【図１３】
2017151634.tif 000015
【図１４】
2017151634.tif 000016
【図１５】
2017151634.tif 000017
【図１６】
2017151634.tif 000018
【図１７】
2017151634.tif 000019
【図１８】
2017151634.tif 000020
【図１９】
2017151634.tif 000021
【図２０】
2017151634.tif 000022
【図２１】
2017151634.tif 000023
【図２２】
2017151634.tif 000024
【図２３】
2017151634.tif 000025
【図２４】
2017151634.tif 000026
【図２５】
2017151634.tif 000027
【図２６】
2017151634.tif 000028
【図２７】
2017151634.tif 000029
【図２８】
2017151634.tif 000030
【図２９】
2017151634.tif 000031
【図３０】
2017151634.tif 000032
【図３１】
2017151634.tif 000033
【図３２】
2017151634.tif 000034
【図３３】
2017151634.tif 000035
【図３４】
2017151634.tif 000036
【図３５】
2017151634.tif 000037
【図３６】
2017151634.tif 000038
【図３７】
2017151634.tif 000039